(57)【要約】  本発明は、真空掃除機に関し、より詳細には、本体と、前記本体に装着される集塵容器と、前記集塵容器の外周面の一側に形成され、前記集塵容器を前記本体に着脱可能に締結する締結部を含むハンドルと、を含むことを特徴とする真空掃除機に関する。本発明によれば、真空掃除機の集塵容器のハンドルに締結部を形成することで、真空掃除機の本体から集塵容器が任意に離脱することを防止し、集塵容器の転覆による汚物による汚染を防止して、使用者の便宜を図ることができる。【選択図】図５
2009504311.tif 000002
【特許請求の範囲】
【請求項１】
本体と、
前記本体に装着される集塵容器と、
前記集塵容器の外周面の一側に形成され、前記集塵容器を前記本体に着脱可能に締結する締結部を含むハンドルと、
を含むことを特徴とする真空掃除機。
【請求項２】
前記締結部は、
前記ハンドルの内側に形成されるレバーと、
前記レバーの一端に連結され、前記レバーの左右移動により上下移動するラッチと、
を含み、
前記本体の上部下面に、前記ラッチに対応するラッチ溝が形成されることを特徴とする請求項１に記載の真空掃除機。
【請求項３】
前記ラッチの上端部には、前記集塵容器が前記本体に容易に締結されるように、傾斜面が形成されることを特徴とする請求項２に記載の真空掃除機。
【請求項４】
前記ラッチの下端には、前記ラッチが元の位置に復元されるように、弾性部材が設けられることを特徴とする請求項２に記載の真空掃除機。
【請求項５】
前記レバーの後面には、前記レバーが元の位置に復元されるように、弾性部材が設けられることを特徴とする請求項２に記載の真空掃除機。
【発明の詳細な説明】
【技術分野】
【０００１】
本発明は、真空掃除機に関し、さらに詳細には、本体と、前記本体に装着される集塵容器と、前記集塵容器の外周面の一側に形成されるハンドルとを含み、前記集塵容器が上記本体に装着及び締結されるように、前記ハンドルに締結部を形成することで、真空掃除機の本体から集塵容器が意図せず離脱することを防止し、集塵容器の転覆による床の汚物による汚染を防止して、使用者の便宜を図ることができる真空掃除機に関する。
【背景技術】
【０００２】
一般に、真空掃除機は、本体に装着されたモータの回転による吸入力を用いて、部屋の床、壁、隙間などに散在する塵埃や異物を吸入し、本体内部に設けられる集塵容器に捕集する装置である。ここで、前記集塵容器内には汚物だけが捕集され、吸入された空気は再び外部に排出される。
【０００３】
掃除機は、集塵方式によって、集塵袋を使用するバッグタイプ（ｂａｇ−ｔｙｐｅ）と、集塵袋なしで集塵容器内に塵埃を集め、塵埃やその他の異物で満たされた集塵容器を空にする方式のバッグレスタイプ（ｂａｇｌｅｓｓ−ｔｙｐｅ）とに分けられる。
【０００４】
図１は、バッグレス真空掃除機の概略的な様子を示す正面斜視図であり、図２は、前記真空掃除機の背面斜視図である。
【０００５】
図１及び図２を参照すると、従来のバッグレスタイプ真空掃除機は、本体ケース１１と、前記本体ケース１１内部に配置される真空モータ（図示せず）と、前記モータの吸入力により床に散在する塵埃やその他の汚物を吸入する吸入ノズル１３と、前記吸入ノズル１３を通して吸入された汚物が捕集される集塵容器２０と、前記集塵容器２０から吐出された空気が排出される排気口１２とを含む。
【０００６】
また、前記真空掃除機には、前記モータに電源を供給する電源コード５０がさらに含まれ、床以外の隙間などの場所を掃除するために使用される延長管６０と、前記延長管６０と連結されるフレキシブルホース４０とがさらに含まれる。
【０００７】
前記掃除機の作動について説明する。先ず、電源コード５０を通じて電源がモータに印加されると、本体ケース１１内部に装着されたモータが回転し、前記モータの回転により吸入力が発生する。
【０００８】
そして、前記吸入ノズル１３を通して塵埃やその他の汚物が空気と共に吸入される。吸入された塵埃は前記集塵容器２０に移動して捕集される。前記集塵容器２０内に移動した空気は、再び前記排気口１２を通して外部に排出される。
【０００９】
図３は、前記真空掃除機とそれに装着される集塵容器を概略的に示す斜視図である。
【００１０】
図３に示すように、従来のバッグレスタイプ真空掃除機の集塵容器２０は、その外周面一側に、前記集塵容器２０を把持するための集塵容器ハンドル３０が形成される。
【００１１】
掃除を行うことによって集塵容器２０には塵埃やその他の汚物が蓄えられる。しかしながら、固定装置なしで、ただ収納式で前記集塵容器２０が前記本体１０に装着されるので、使用者の不注意により前記本体１０から離脱して床に転覆する場合、前記集塵容器２０内に入っている塵埃やその他の汚物によって床が汚染される問題が発生する。従って、それを改善する必要性が要求される。
【発明の開示】
【発明が解決しようとする課題】
【００１２】
本発明は、上述の問題点に鑑みてなされたもので、その目的は、真空掃除機の集塵容器のハンドルに締結部を形成することで、真空掃除機の本体から集塵容器が意図せず離脱することを防止し、集塵容器の転覆による汚物による汚染を防止することができる真空掃除機を提供することにある。
【課題を解決するための手段】
【００１３】
上記の目的を達成すべく、本発明による真空掃除機は、本体と、前記本体に装着される集塵容器と、前記集塵容器の外周面の一側に形成され、前記集塵容器を前記本体に着脱可能に締結する締結部を含むハンドルと、を備えることを特徴とする。
【００１４】
好ましくは、前記締結部は、前記ハンドルの内側に形成されるレバーと、前記レバーの一端に連結され、前記レバーの左右移動により上下移動するラッチと、を含み、前記本体の上部下面に、前記ラッチに対応するラッチ溝が形成される。
【００１５】
また、好ましくは、前記ラッチの上端部には、前記集塵容器が前記本体に容易に締結されるように、傾斜面が形成される。
【００１６】
また、好ましくは、前記ラッチの下端には、前記ラッチが元の位置に復元されるように、弾性部材が設けられる。
【００１７】
さらに、好ましくは、前記レバーの後面には、前記レバーが元の位置に復元されるように、弾性部材が設けられる。
【発明の効果】
【００１８】
本発明によれば、真空掃除機の集塵容器のハンドルに締結部を形成することで、真空掃除機の本体から集塵容器の着脱を容易にし、集塵容器が本体に装着されているときに、集塵容器が真空掃除機本体から意図せず離脱することを防止して、集塵容器の転覆による床の汚物による汚染を防止し、使用者の便宜を図ることができる効果がある。
【発明を実施するための最良の形態】
【００１９】
以下、本発明の具体的な実施の形態を、図面を参照して詳細に説明する。
【００２０】
しかし、本発明の思想が提示される実施の形態に制限されるのではなく、尚、他の構成要素の追加、変更、削除などにより、退歩的な他の発明や本発明の思想の範囲内に含まれる他の実施の形態を容易に提案することができる。
【００２１】
図４は、本発明の一実施の形態によるバッグレスタイプ真空掃除機とそれに装着される集塵容器を概略的に示す斜視図であり、図５は、図４の真空掃除機とそれに装着される集塵容器の断面図であり、図６は、図５における弾性部材の位置を変更した真空掃除機とそれに装着される集塵容器の断面図である。
【００２２】
図４、図５及び図６に示すように、本発明による真空掃除機は、本体１０と前記本体１０に装着される集塵容器２０とを含む。
【００２３】
前記本体１０は、本体ケース１１と前記本体ケース１１内部に配置される真空モータ（図示せず）と、前記モータの吸入力により床に散在する塵埃やその他の汚物を吸入する吸入ノズル１３と、空気が排出される排気口１２とを含む。
【００２４】
前記本体ケース１１の上面下側には、前記集塵容器２０が前記本体１０に装着されて締結されるよう、ハンドル３０のラッチ３３に対応するラッチ溝３８が形成される。
【００２５】
前記集塵容器２０は、前記吸入ノズル１３を通して吸入された汚物を捕集するよう、前記本体１０に装着される。前記集塵容器２０内が塵埃やその他の汚物で満たされた場合には、前記集塵容器２０を前記本体１０から取り出し、内部の塵埃やその他の汚物を捨てる。
【００２６】
また、前記集塵容器２０の外周面の一側には、前記本体１０との脱着を容易にするため、ハンドル３０が形成される。
【００２７】
前記ハンドル３０には、前記集塵容器２０を前記本体１０に着脱可能に締結する締結部３１が形成される。
【００２８】
前記締結部３１は、レバー３２、ラッチ３３及びスプリング３４を含む。
【００２９】
前記レバー３２は、前記ハンドル３０の内側に形成され、回転軸３５により回転可能に固定される。
【００３０】
また、前記レバー３２の一側には、使用者の手が前記レバー３２を引くとき滑らないように、多数の凹部が形成され、他側は、ヒンジ部３６により前記ラッチ３３と連結される。
【００３１】
前記ラッチ３３の一端は、前記ヒンジ部３６を介して前記レバー３２に連結され、他端は前記集塵容器２０を前記本体１０に装着するとき、前記レバー３２を引かず前記集塵容器２０を押し入れるだけで装着されるように、前記本体１０に向く前面部が傾斜面で形成される。
【００３２】
前記ラッチ３３の前記レバー３２と連結される端部の下端には、外力が作用しない場合に前記ラッチ３３を元の位置に復元するスプリング３４が形成される。
【００３３】
また他の実施の形態として、前記レバー３２の後面と前記ハンドル３０の内面との間に外力が作用しない場合に前記レバー３２が元の位置に復元されるように、スプリング３４が設けられる。
【００３４】
また、前記ラッチ３３が形成される前記ハンドル３０の周辺には、前記ラッチ３３が搖れずに上下直線運動するようにガイドするガイド部３７が形成される。
【００３５】
前記ヒンジ部３６には、前記レバー３２の回転運動により前記ラッチ３３が上下直線運動できるように、横に長い円状のヒンジ孔部が形成される。
【００３６】
以下、上記の構造による集塵容器ハンドル３０の締結部３１の作動について説明する。
【００３７】
前記集塵容器２０に入っている塵埃やその他の汚物を捨てるために、前記集塵容器２０を前記本体１０から取り出す場合、先ず使用者は、前記レバー３２を引き、前記レバー３２は前記回転軸３５を基準に回転運動をして、前記ヒンジ部３６によりレバー３２の一側に連結されている前記ラッチ３３が下側に移動する。それにより、前記ラッチ溝３８に挿入されている前記ラッチ３３の上端部が前記ラッチ溝３８から離脱し、前記締結部３１の前記本体１０に対する締結が解除されることで、前記集塵容器２０を前記本体１０から取り出すことができるようになる。
【００３８】
また、前記集塵容器２０を前記本体１０に装着する場合、前記ラッチ３３の上端部が傾斜面を形成するので、前記レバー３２を引かず、前記集塵容器２０を前記本体１０に押し入れるだけで、前記ラッチ３３の傾斜面により前記ラッチ３３は下側に移動する。前記ラッチ３３が前記ラッチ溝３８に到達すると、前記ラッチ３３の下部に付着された前記スプリング３４の復元力により、前記ラッチ３３は元の位置に復元され、前記ラッチ溝３８に挿入される。それにより、前記集塵容器２０は、前記本体１０に装着され、締結される。
【００３９】
従って、前記集塵容器２０は、前記本体１０に堅固に締結及び固定されるので、意図せず前記本体１０から離脱しなくなる。
【図面の簡単な説明】
【００４０】
【図１】図１は、バッグレスタイプ真空掃除機の概略的な様子を示す正面斜視図である。
【図２】図２は、図１の真空掃除機の背面斜視図である。
【図３】図３は、図１の真空掃除機とそれに装着される集塵容器を概略的に示す斜視図である。
【図４】図４は、本発明の一実施の形態によるバッグレス真空掃除機とそれに装着される集塵容器を概略的に示す斜視図である。
【図５】図５は、図４の真空掃除機とそれに装着される集塵容器の断面図である。
【図６】図６は、図５における弾性部材の位置を変更した真空掃除機とそれに装着される集塵容器の断面図である。
【図１】
2009504311.tif 000003
【図２】
2009504311.tif 000004
【図３】
2009504311.tif 000005
【図４】
2009504311.tif 000006
【図５】
2009504311.tif 000007
【図６】
2009504311.tif 000008
【国際調査報告】
2009504311.tif 000009
2009504311.tif 000010